(57)【要約】【課題】  ドアクローザーを備えた引き戸は、開扉動作の終始にわたり扉が重く感じる問題があった。また、ダンパーを備えた引き戸は、その機構上、開扉の際に扉から受ける強い抵抗力よりも強い力をもって開扉する必要があるという問題があった。【解決手段】  引き戸を構成する戸板の戸先側内部に配置可能な当て駒と、前記戸板を受ける戸先側縦枠の前記当て駒に対向する位置に配置可能な受駒と、を備え、前記当て駒が前記受駒に対向して突き当ると磁性吸引力によって施錠状態となり、前記当て駒が、前記施錠状態から、前記受駒の対向面に対して平行移動することにより解錠状態となる引き戸錠であって、閉扉時に跳ね返り防止機能を有しつつ軽い力で開扉できる引き戸を実現できる引き戸錠を提供する。【選択図】  図３
2019127732.tif 000002
【特許請求の範囲】
【請求項１】
引き戸を構成する戸板の戸先側内部に配置可能な当て駒と、
前記戸板を受ける戸先側縦枠の前記当て駒に対向する位置に配置可能な受駒と、を備え、
前記当て駒が、前記受駒に対向して突き当ると磁性吸引力によって施錠状態となり、
前記当て駒が、前記施錠状態から、前記受駒の対向面に対して平行移動することにより解錠状態となる
ことを特徴とする引き戸錠。
【請求項２】
前記当て駒及び前記受駒の少なくとも一方が永久磁石によって構成されてなる
ことを特徴とする請求項１に記載の引き戸錠。
【請求項３】
前記当て駒及び前記受駒が永久磁石によって構成されてなる
ことを特徴とする請求項１に記載の引き戸錠。
【請求項４】
前記当て駒が、前記平行移動の後に、自動的に前記受駒と対向する位置に戻る帰還機構を備える
ことを特徴とする請求項１〜３のいずれか１つに記載の引き戸錠。
【請求項５】
前記当て駒を前記平行移動させる移動機構が設けられてなる
ことを特徴とする請求項１〜４のいずれか１つに記載の引き戸錠。
【請求項６】
前記移動機構が前記戸板に設けられた把持部材の操作に連動して前記当て駒を平行移動させる
ことを特徴とする請求項５に記載の引き戸錠。
【請求項７】
前記当て駒が前記受駒に突き当たる直前に、前記受駒が前記磁性吸引力によって戸尻方向へ突出して前記当て駒に吸着する
ことを特徴とする請求項１〜６のいずれか１つに記載の引き戸錠。
【請求項８】
前記当て駒が前記戸板に配置されると共に、前記受駒が前記戸先側縦枠に配置されて前記請求項１〜７のいずれか１つの引き戸錠が設けられてなる
ことを特徴とする引き戸。
【発明の詳細な説明】
【技術分野】
【０００１】
本発明は、引き戸錠に関する。
【背景技術】
【０００２】
従来、引き戸の閉扉時の跳ね返り防止のため、ドアクローザーやダンパーが組み込まれた引き戸が用いられている。
【先行技術文献】
【特許文献】
【０００３】
【特許文献１】ＷＯ２０１５／１２９４９４号公報
【特許文献１】特開２００７−２４９７号公報
【発明の概要】
【発明が解決しようとする課題】
【０００４】
しかし、ドアクローザーを備えた引き戸は、開扉動作の終始にわたり扉が重く感じる問題があった。また、ダンパーを備えた引き戸は、その機構上、開扉の際に扉から受ける強い抵抗力よりも強い力をもって開扉する必要があるという問題があった。
【課題を解決するための手段】
【０００５】
そこで、上記課題を解決する手段として本発明に係る引き戸錠は、引き戸を構成する戸板の戸先側内部に配置可能な当て駒と、前記戸板を受ける戸先側縦枠の前記当て駒に対向する位置に配置可能な受駒と、を備え、前記当て駒が、前記受駒に対向して突き当ると磁性吸引力によって施錠状態となり、前記当て駒が、前記施錠状態から、前記受駒の対向面に対して平行移動することにより解錠状態となることを特徴とする。
【０００６】
引き戸は、戸枠に沿って設けられた溝などに沿って、戸板を戸枠の開口面に対して平行に摺動させることにより開閉動作する戸をいう。
【０００７】
前記当て駒及び受駒の形状は、直方体などの多面体に形成されもよいが、十分な磁性吸引力を発揮するならば厚みの薄い平板上に形成されてもよい。
【０００８】
本発明に係る引き戸錠の当て駒を備える部分は、当て駒が錠ケース内に収容されていることが好ましい。当て駒を錠ケース内に収容することにより、戸板自体に当て駒を直接設置する構造を設ける必要がないからである。また、あらかじめ当て駒が内部に配置された錠ケースを戸板内部に設けられたケース収容空間に嵌め込んで固定するだけで当て駒を戸板に設置することができるため、戸板への設置作業を簡易に行うことができる。
【０００９】
本発明に係る引き戸錠の受駒を備える部分は、受駒がケース状に形成された受の内部に収容されていることが好ましい。受駒を受の内部に収容することにより、戸先側縦枠自体に受駒を直接設置する構造を設ける必要がないからである。また、あらかじめ受駒が設けられた受を戸先側縦枠内部に設けられた受収容空間に嵌め込んで固定するだけで受駒を戸先側縦枠に設置することができるため、戸先側縦枠への設置作業を簡易に行うことができる。
【００１０】
また、前記当て駒及び前記受駒の少なくとも一方が永久磁石によって構成されてなることが好ましく、さらにまた、前記当て駒及び前記受駒の両方が永久磁石によって構成されてなるものであっても好ましい。
【００１１】
当て駒及び受駒の少なくとも一方が永久磁石によって構成されてなれば、戸板を摺動させて戸先側縦枠に近接させれば磁性吸引力によって自動的に戸板を戸先側縦枠に吸着させると共に固定することができるからである。また、磁性吸引力を利用することにより、閉扉時の戸板の跳ね返りを防止することができる。
【００１２】
また、当て駒又は受駒のいずれか一方が、磁性体である場合、他方は金属等の磁性体に対して磁性吸引力によって吸着可能な素材によって構成されてなる。前記金属の例としては、鉄、コバルト、又はニッケルなどが挙げられる。
【００１３】
さらに、当て駒及び受駒の両方が永久磁石によって構成されてなれば、当て駒又は前記受駒のいずれか一方を磁性体とする場合よりも施錠状態をより強固とすることができる。なお、この場合、当て駒と受駒の対向する面は互いに異なる磁性を備える面とする。例えば当て駒の戸先側面がＳ極である場合は、受駒の戸尻側面はＮ極となる。
【００１４】
本発明によれば、当て駒が受駒と磁性吸引力によって引き付け合うことによって、戸板の閉扉動作の際に、戸板が戸先側縦枠に突き当った衝撃によって跳ね返りを生じることを防止することができる。また、当て駒と受駒との磁性吸引力によって戸先側縦枠に固定された戸板は、当て駒と受駒とを対向させた状態で戸先側縦枠から戸尻方向に引き離そうとしても磁性吸引力によって容易には引き離されることがないため、不意の開扉を生じさせない。
【００１５】
一方、当て駒を受駒の対向面に対して平行移動させて、互いに対向していた面をずらすと、磁性吸引力が弱まって解錠状態となり、戸板を戸先側縦枠から脱離させて容易に開扉させることができる。当て駒を受駒の対向面に対して平行移動させる力は、当て駒と受駒とを対向させた状態で戸先側縦枠から戸尻方向に真っすぐ引き離すときに必要な力よりも小さな力とすることができる。戸板を戸先側縦枠に対して十分に安定な施錠状態を保つために必要な磁性吸引力を備えつつ、引き戸を開く際には引き戸錠を解錠して開扉することが容易にできる引き戸錠を実現することができる。ここで、前記当て駒を受駒の対向面に対向して平行移動させる動作については、厳密に平行であることは要しない。すなわち、前記平行移動には、ある程度戸先方向若しくは戸尻方向へ向かう移動と組み合わされた斜め方向への動作が含まれてもよく、このような動作によっても本発明の目的は達成することができる。
【００１６】
本発明に係る引き戸錠によれば、施錠状態から解錠状態とする操作によって戸板に対する磁性吸引力を解消した後に、開扉操作を独立して行うことができる。そのため、開扉操作時にも強い抵抗を感じる従来のドアクローザーやダンパーを備えた引き戸よりも抵抗にストレスを感じることなく引き戸を開扉できるという効果がある。
【００１７】
なお、前記平行移動としては、受駒に対して当て駒を戸板の高さ方向、若しくは戸板の厚み方向に移動させることができるが、戸板の高さ方向への移動がより好ましい。当て駒の平行移動の方向を戸板の高さ方向とすれば、本発明に係る引き戸錠を取り付けるための戸板を薄くすることができるからである。
【００１８】
また、前記当て駒が、前記平行移動の後に、自動的に前記受駒と対向する位置に戻る帰還機構を備えるものであっても好ましい。
【００１９】
当該帰還機構を備えることによって、引き戸を開いた後に当て駒に対する水平移動の操作を解除すれば、当て駒を受駒と対向する位置に自動的に戻すことができる。これにより、開いた戸板を再び戸先側縦枠に近づけて近接させれば、戸板と戸先側縦枠との間に磁性吸引力を発揮させて引き戸錠が施錠状態となるため、戸板を戸先側縦枠に容易に固定して閉扉することができる。
【００２０】
前記帰還機構としては、当て駒と錠ケースの内壁との間に取り付けられ、受駒と対向する位置からの偏位に対して当て駒に復元力を付加する弾性体が好ましい。弾性体としては、バネ、若しくはゴム体を用いることができる。
【００２１】
さらに、前記当て駒を前記平行移動させる移動機構が設けられてなるものであっても好ましい。
【００２２】
移動機構は、外部からの力を当て駒に対して機械的に伝達し得るカム等を用いることができる。また、移動機構として、外部からの電気信号を変換して機械的運動に変換可能なモーター、若しくはソレノイド等の電動装置と当該電動装置から所定の力を仲介して当て駒に対して伝達する棒状体等の伝達部材との組み合わせを用いることもできる。
【００２３】
さらにまた、前記移動機構が前記戸板に設けられた把持部材の操作に連動して前記当て駒を平行移動させるものであっても好ましい。
【００２４】
把持部材は、戸板の外面に設けられてなり、引き戸の使用者が操作することにより特定の動作が可能であり、当該動作によって戸板表面から戸板内部に設けられた移動機構に当て駒を平行移動させるための力を伝達する。把持部材の形態としては、戸板に対して引き戸の開閉方向に直接力を加えることができる引き手が好ましく、また、レバー、若しくはノブであってもよい。
【００２５】
また、前記当て駒が前記受駒に突き当たる直前に、前記受駒が前記磁性吸引力によって戸尻方向へ突出して前記当て駒に吸着するものであっても好ましい。
【００２６】
長期にわたる引き戸の使用により戸枠に歪みが生じたり、戸板と戸先側縦枠との間の下枠等にゴミなどの障害物があることによって閉扉時に戸板と戸先側縦枠との間に生じる隙間を解消できない状態が生ずることがある。しかし、受駒が戸先側縦枠から突出可能な前記構造を備えることによって、隙間を生じたまま閉扉した戸板を戸先側縦枠に固定して引き戸錠を施錠状態とすることができる。
【００２７】
また本発明は、前記当て駒が前記戸板に配置されると共に、前記受駒が前記戸先側縦枠に配置されて前記引き戸錠が設けられてなる引き戸であっても好ましい。引き戸は、部屋扉、食器棚用扉、門扉、若しくは玄関扉等に用いることができる。また、部屋扉としては、病院の病室用の扉として用いることもできる。病室用の扉に用いることによって、力の弱い病人であっても跳ね返りの恐れがなく、さらに容易に開くことができる引き戸を実現することができる。
【発明の効果】
【００２８】
本発明によれば、閉扉時に跳ね返り防止機能を有しつつ軽い力で開扉できる引き戸錠を提供することができる。
【００２９】
また、従来のドアクローザーやダンパーのように複雑な機構を必要とせず、跳ね返り防止機能を備える引き戸を安価に実現できる引き戸錠を提供することができる。
【図面の簡単な説明】
【００３０】
【図１】引き戸錠１を備えた引き戸２の一部の外観を示す図である。二点鎖線は、引き戸２が開扉された状態を示すものである。
【図２】閉扉状態の引き戸２において、錠ケース１１及び受１３の内部構造を戸板４及び戸先側縦枠５の一部と共に示す図であって、施錠状態の引き戸錠１の構造の具体例を表したものである。
【図３】錠ケース１１及び受１３の内部構造を戸板４及び戸先側縦枠５の一部と共に示す図であって、引き戸錠１の解錠状態を示す図である。
【図４】錠ケース１１及び受１３の内部構造を戸板４及び戸先側縦枠５の一部と共に示す図であって、引き戸２が開扉された状態を示す図である。
【図５】錠ケース１１及び受１３の内部構造を戸板４及び戸先側縦枠５の一部と共に示す図であって、戸板４と戸先側縦枠５との間に隙間が生じた状態で閉扉された引き戸２における引き戸錠１の施錠状態を示す図である。
【図６】把持部材９が設けられた戸板４を戸先側から見た図である。
【図７】把持部材９が設けられた戸板４及び戸枠側縦枠５を平面からみた図である。
【発明を実施するための形態】
【００３１】
以下、本発明に係る実施の形態を、図を参照しながら詳しく説明する。なお、本明細書及び図面において、実質的に同一の機能構成を有する構成要素については、同一の符号を付することにより重複説明を省略する。
【００３２】
〔引き戸錠１の具体的な構造例〕
図１は、本発明に係る引き戸錠１を備えた引き戸２の外観を示す図である。引き戸２は、戸枠３の下枠８に設けられたレールに沿って戸板４を開口面に対して平行に摺動させることにより開閉動作な戸である。戸枠３は、戸先側縦枠５、戸尻側縦枠６、上枠７、及び下枠８によって構成されてなる。戸板４には把持部材９が取り付けられてなり、把持部材９を掴み、戸板４を戸尻方向へ引くことで引き戸２を開扉することができる。また、把持部材９を掴んで開扉された状態の戸板４を戸先方向へ押すと引き戸２を閉扉することができる。なお、図１において戸板４には窓４ａが設けられている。
【００３３】
なお、本実施の形態における引き戸２は、家屋の部屋扉や、病院の病室用の扉などに用いることができる。
【００３４】
図１の破線に示すように、引き戸錠１は、当て駒１０が先端内部に配置された錠ケース１１が戸板４の戸先側の内部に嵌め込まれてなると共に、受駒１２を収容した受１３が戸先側縦枠５の内部に嵌め込まれて構成されてなる。
【００３５】
図２には、錠ケース１１及び受１３の内部構造を示す断面図であって、引き戸錠１の構造の具体例を表したものである。なお図２において、引き戸２は閉扉状態となっている。
【００３６】
錠ケース１１は、ケース本体１４とケース本体１４の前面に重ねてネジ１５、１５によって取り付けられたフロント板１６とからなる。ケース本体１４の前面及びフロント板１６には、ケース本体１４の内部に収容された当て駒１０の前端を露出可能な貫通孔１７が形成されてなる。貫通孔１７は、当て駒１０の前端を露出させた状態で上下に平行移動可能な大きさに形成されてなる。
【００３７】
引き戸２の閉扉状態において、当て駒１０の前端は貫通孔１７の上半部に位置してなり、受駒１２と対向する。
【００３８】
錠ケース１１は、戸板４の戸先面に設けられた嵌め込み空間１８に嵌め込まれ、フロント板１６の上下端部においてネジ１９、１９によって固定されてなる。
【００３９】
当て駒１０は、磁石２０を樹脂で包み込んだ磁石フレーム２１によって成形されてなる。本実施の形態において磁石２０は永久磁石である。磁石フレーム２１には、磁石２０を包み込んだ中央部２２から上下方延出してなる上腕部２３、及び下腕部２４が形成されてなる。上腕部２３の上端部は戸尻方向に屈曲されてなる上腕係止部２５に形成され、下腕部２４の下端部は戸尻方向に屈曲されてなる下腕係止部２６に形成されてなる。
【００４０】
上腕係止部２５の下方には、Ｌ字に屈曲されたベース板２７が、ベース上端面２８が水平となるようにケース本体１４の側板２９の内面に取り付けられてなる。ベース上端面２８にはバネ軸３０が垂直上方に立設されてなり、バネ軸３０の上端部は、板状に構成されてなる上腕係止部２５を貫通してなる。また、バネ軸３０の周面には、磁石フレームバネ３１が巻き付けられてなる。
【００４１】
磁石フレームバネ３１は、当て駒１０が下方に移動すると、上腕係止部２５の下端面を押し上げる方向に力を加える。従って、上腕部２３、ベース板２７及び磁石フレームバネ３１は、下方に移動した当て駒１０を移動前の位置へ戻す帰還機構として機能する。
【００４２】
一方、ケース本体１４の側板２９の内面には、該内面と平行に回動可能なＹ字型のカム３２が設けられてなる。カム３２は、側板２９に回動軸ピン３３ａを介して取り付けられた回動中心部３３から上方に延びた棒体状の作動腕部３４と、回動中心部３３から戸先方向に延びた棒体状の押下げ腕部３５とを備えてなる。押下げ腕部３５の先端部は、下腕係止部２６の上端に当接されてなり、カム３２の回動によって当て駒１０を押し下げることができる。
【００４３】
ケース本体１４の側板２９及び戸板４には、作動腕部３４と重なる位置に挿込穴３６が形成されてなる。挿込穴３６には、作動腕部３４よりも戸尻側に、側板２９の外面に取り付けられてなる把持部材９から取っ手テコ３８がケース本体１４の内部に挿し入れられてなる。把持部材９は、図６に示すように、戸板４の外面に固定されてなる座部３９と、前記取っ手テコ３８と連動して回動可能な引きて４０を備えてなる。引きて４０を掴んで戸尻方向へ引くと、図７に示すように戸板４に固定された座部３９に対して戸尻方向に傾きながら回動する。取っ手テコ３８は引き手４０の回動中心を介してケース本体１４の内部に突設されてなり、引き手４０の回動に連動して戸先方向に回動することができる。なお挿込穴３６は、図２，３に示すように、取っ手テコ３８が引き手４０の動きに連動して前後に移動できる長さを有している。
【００４４】
図１に示すように、引き戸２が部屋戸等の内側及び外側の両側からの操作で開扉操作されるものの場合には、挿込穴３６はケース本体１４及び戸板４の両側面側に設けられることが好ましい。またこの場合、把持部材９も図６、７に示すように当該両側面側に設けられることが好ましい。
【００４５】
一方、引き戸２が食器棚等の外側からの操作でのみ開扉操作されるものの場合には、挿込穴３６はケース本体１４及び戸板４の一側面側にのみ設けられていれば良い。またこの場合、把持部材９も当該戸板４の一側面側にのみ設けられることとなる。
【００４６】
引き戸２を開こうとする者が、引き手４０を把持して戸尻方向へ引くと、引き手４０が戸尻方向へ回動すると共に、取っ手テコ３８が引き手４０の動きに連動して戸先方向へ回動する。このとき取っ手テコ３８は、作動腕部３４を戸先方向へ押して、カム３２を回動させる。作動腕部３４が戸先方向へ押されたカム３２は、図３に示す二点鎖線で示される状態から実線で示される状態まで押下げ腕部３５を下方に向かって回動させながら当て駒１０を下方へ平行移動させる。本実施の形態において当て駒１０と受駒１２との対向面は床に対して垂直な面であるため、当て駒１０の下方への平行移動は、受駒１２の対向面に対する平行移動となる。従って、カム３２は、当て駒１０を平行移動させる移動機構を構成する。
【００４７】
なお、側板２９には下腕部２４に沿ってガイド孔２４ａが設けられてなる。下腕部２４から側板２９側に突設された図示しないガイド凸部をガイド孔２４ａに挿し入れることによって、当て駒１０を下方向に真っすぐに平行移動することを可能とする。
【００４８】
一方、受１３は、戸先側縦枠５の戸尻側面に設けられた嵌め込み空間４１に嵌め込まれ、取付板４２の上下端部においてネジ４３、４３によって戸先側縦枠５に固定されてなる。
【００４９】
受駒１２は、磁石４４及び磁石４４の戸先側に設けられてなる基部４５とからなり、受ケース４６内に収容されてなる。受ケース４６の戸尻側は解放されてなる。本実施の形態において磁石４４は永久磁石である。取付板４２には、磁石４４が出没可能な出没孔４７が形成されてなり、取付板４２は受ケース４６の解放面を覆うようにネジ４８、４８によって取り付けられてなる。
【００５０】
なお、磁石４４は磁石２０と同様に樹脂によって包み込まれていてもよい。磁石４４、及び磁石２０は、いずれも樹脂によって包み込まれることによって、当て駒１０と受駒１２との施解錠動作の繰り返しから受ける衝撃を軽減させることができ、磁石の破損を抑制することができるからである。
【００５１】
磁石４４は受ケース４６の中央部に位置して収容されてなり、基部４５は磁石４４よりも上下に延出する延出部４９を備えてなる。基部４５の延出部４９の戸尻側面にはバネ軸５０が水平方向に突設されてなり、バネ軸５０の先端は前記取付板４２が受ケース４６の解放面に突出してなる部分の内面に当接されてなる。そして、バネ軸５０の周面にはウケバネ５１が巻き付けられてなる。
【００５２】
ウケバネ５１は、出没孔４７から突出する磁石４４と共に基部４５が戸尻方向に移動すると、基部４５を押し戻す戸先方向へ力を加える。
【００５３】
〔引き戸錠１の機能の説明〕
図２は、引き戸２の閉扉状態を示す図である。引き戸２が閉扉状態である場合には、当て駒１０の中央部２２に埋め込まれている磁石２０と受駒１２を構成する磁石４４とが対向して磁性吸引力によって吸着されることによって引き戸錠１が施錠状態となっている。この際、戸板４は戸先側縦枠５に固定されてなる。
【００５４】
引き戸２を開こうとする者が、引き手４０を把持して戸尻方向へ引くと、カム３２が当て駒１０を下方へ平行移動させることにより、図３に示すように、磁石２０が受駒１２を構成する磁石４４に対向する位置から下方へずれる。磁石２０が受駒１２を構成する磁石４４に対向する位置から下方へずれると、当て駒１０と受駒１２とを引き付け合っていた磁性吸引力が弱まって解錠状態となり、戸板４を戸先側縦枠５から脱離させて容易に開扉させることができる。当て駒１０を受駒１２の戸尻側面である対向面に対して平行移動させる力は、当て駒１０と受駒１２とを対向させた状態で戸先側縦枠５から戸尻方向に真っすぐ引き離すときに必要な力よりも小さな力とすることができる。これにより、戸板４を戸先側縦枠５に対して十分に安定な固定状態を保つために必要な磁性吸引力を備えつつ、引き戸２を開く際には戸板４の開扉操作を容易に行うことができる。
【００５５】
開扉された引き戸２は、図４に示すように戸先側縦枠５から戸板４が大きく離間した状態となる。引き戸２を開いた者は、ここで把持部材９から手を放して戸枠３の向こう側にある物を取り出す、又は戸枠３を通って部屋の中へ入ることができる。引き戸２が開扉された様子は図１における二点鎖線でも示される。また、把持部材９から手を離すと、引き手４０が座部３９の内部に設けられた図示しないバネなどにより元の位置へもどるため、取っ手テコ３８も戸尻方向へ戻る。そのため、取っ手テコ３８によって作動腕部３４を介して押下げ腕部３５を回動させていた力が解放される。
【００５６】
これにより、当て駒１０を下方へ押下げていた押下げ腕部３５による力も解放される。そうすると、磁石フレームバネ３１が上腕係止部２５を押し上げることにより、当て駒１０が上方に移動し、磁石２０が受駒１２の磁石４４と対向する位置まで自動的に帰還する。
【００５７】
なお、本実施の形態においては、磁石フレームバネ３１が押し上げた上腕係止部２５の上端がケース本体１４の上側内面に当接することにより当て駒１０の上方への移動が止まり、その位置において磁石２０と磁石４４とが対向する位置となるように構成されてなる。なお、上腕係止部２５の上端がケース本体１４の上側内面に当接させなくとも、磁石フレームバネ３１の押し上げる力がなくなる位置が磁石２０と磁石４４とが対向する位置となるように構成されていてもよい。
【００５８】
引き戸２が開扉された図４の状態では、戸板４が戸先側縦枠５から十分な間隔をあけて離間されてなる。そのため、引き戸２を開扉した者が把持部材９から手を放したことにより、当て駒１０の磁石２０が受駒１２の磁石４４と対向する位置まで戻ったとしても、戸板４を戸先側縦枠５に引き付けるだけの十分な磁性吸引力は働かない。従って、開扉された引き戸２は把持部材９から手をはなしても開扉状態を維持させることができる。
【００５９】
開扉された引き戸２を閉扉する場合には、把持部材９を把持して戸板４を戸先方向へ移動させると、戸板４と戸先側縦枠５とが十分に近接する位置で当て駒１０の磁石２０と受駒１２の磁石４４とが戸板４を引き付けるだけの十分な磁性吸引力が働く。さらに戸板４を戸先方向へ移動させると、磁性吸引力によって戸板４は戸先側縦枠５に引き付けられて閉扉する。閉扉された引き戸２においては、図２に示すように、当て駒１０が受駒１２に対向して突き合わされた状態で吸着されて、引き戸錠１は施錠状態となる。
【００６０】
また、引き戸２を長期にわたって使用していると、戸板４と戸枠３との間に歪みが生じたり、戸板４と戸先側縦枠５との間の下枠８にゴミなどの障害物が溜まったりすることがある。そうすると、閉扉時であっても戸板４と戸先側縦枠５との間に隙間が生じることとなる。
【００６１】
ここで、本実施の形態に係る受駒１２は、戸先側縦枠５の出没孔４７から出没可能に設けられてなることにより、磁性吸引力によって、戸板４の戸先面と戸先側縦枠５とが突き当たる直前に、戸先側縦枠５から突出して当て駒１０に吸着することができる。
【００６２】
これにより、閉扉時に戸板４と戸先側縦枠５との間に生じる隙間を解消できない状態であっても、図５に示すように、閉扉した戸板４を戸先側縦枠５に固定して引き戸錠１の施錠状態を保持することができる。
【００６３】
図５の状態から引き戸２を開扉すると、戸先側縦枠５から突出していた受駒１２は、ウケバネ５１が基部４５を戸先方向へ引き戻す力によって受１３の内部に没入する。このため、閉扉時に戸板４と戸先側縦枠５との間に生じる隙間を解消できない状態であっても、開扉時に、戸先側縦枠５の表面から突出した受駒１２に腕や体を引っ掛けることがない。
【符号の説明】
【００６４】
１  引き戸錠
２  引き戸
４  戸板
５  戸先側縦枠
９  把持部材
１０  当て駒
１１  錠ケース
１２  受駒
１３  受
２０  磁石
２５  上腕係止部
２６  下腕係止部
３１  磁石フレームバネ
３２  カム
３４  作動腕部
３５  押下げ腕部
３８  取っ手テコ
４０  引き手
４４  磁石
４５  基部
５１  ウケバネ
【図１】
2019127732.tif 000003
【図２】
2019127732.tif 000004
【図３】
2019127732.tif 000005
【図４】
2019127732.tif 000006
【図５】
2019127732.tif 000007
【図６】
2019127732.tif 000008
【図７】
2019127732.tif 000009